(57)【要約】【課題】袋体の大きさを変化させることができ、書類用袋体と液体物袋体等のような大きさの異なる袋体として複数の用途に使用できるチャック付袋体、及びその製造方法の提供を目的とする。【解決手段】一方に開口部１１を有する袋本体１０に、袋本体１０の開口部１１側の所定の領域を切り離すのを補助する切断補助線４０が形成され、かつ、袋本体１０における切断補助線４０の開口部１１よりも遠い側の内面に、雄爪部及び該雄爪部に着脱可能に嵌合する雌爪部を有し、袋本体１０を部分的に密封する第１のチャック部２０が形成されており、開口部１１と切断補助線４０の間に、切断補助線４０から延出する延出部１２が設けられているチャック付袋体１。また、チャック付袋体１の製造方法。【選択図】図１
2011020704.tif 000002
【特許請求の範囲】
【請求項１】
一方に開口部を有する袋本体に、前記袋本体の開口部側の所定の領域を切り離すのを補助する切断補助線が形成され、かつ、前記袋本体における前記切断補助線の前記開口部よりも遠い側の内面に、雄爪部及び該雄爪部に着脱可能に嵌合する雌爪部を有し、該袋本体を部分的に密封する第１のチャック部が形成されており、
前記開口部と前記切断補助線の間に、該切断補助線から延出する延出部が設けられているチャック付袋体。
【請求項２】
前記袋本体の前記開口部の近傍に、該開口部を閉止する閉止手段が設けられている、請求項１に記載のチャック付袋体。
【請求項３】
前記閉止手段として、雄爪部及び該雄爪部に着脱可能に嵌合する雌爪部を有し、前記袋本体を密封する第２のチャック部が、前記袋本体の内面に前記開口部に沿って設けられている、請求項２に記載のチャック付袋体。
【請求項４】
前記切断補助線が弱化線である、請求項１〜３のいずれかに記載のチャック付袋体。
【請求項５】
請求項１に記載のチャック付袋体の製造方法であって、
フィルム内面に一体成形された第１のチャック部の雄爪部及び雌爪部と、前記雄爪部及び雌爪部の間に、それら雄爪部と雌爪部からそれぞれ等距離に形成された、対になった切断補助線と、前記対になった切断補助線の間に形成された延出部とを有する円筒状のフィルムを、インフレーション成形し、
該円筒状のフィルムを、前記雄爪部と雌爪部が嵌合し、かつ前記対になった切断補助線が重ね合わされるように、扁平状に折り畳んで引き取るフィルム成形工程と、
折り畳んだ扁平状のフィルムにおける、延出部側の折り返し部を、該フィルムの長手方向に沿って切断して開口部を形成する切断工程と、
折り畳んだ扁平状のフィルムを、該フィルムの短手方向に沿って、該フィルムの長手方向に所定の間隔をおいて溶断する溶断工程と、
を有するチャック付袋体の製造方法。
【請求項６】
前記扁平状に折り畳んだときのフィルムの折り返し部近傍のフィルム内面に、第２のチャック部の雄爪部及び雌爪部がさらに一体成形されたフィルムを、インフレーション成形し、
折り返し部を切断して、第２のチャック部を有する開口部を形成する、請求項５に記載のチャック付袋体の製造方法。
【請求項７】
前記切断補助線が弱化線である、請求項５又は６に記載のチャック付袋体の製造方法。
【請求項８】
請求項１に記載のチャック付袋体の製造方法であって、
フィルム内面に一体成形された第１のチャック部の雄爪部及び雌爪部と、前記雄爪部及び雌爪部の間に形成された延出部とを有する円筒状のフィルムを、インフレーション成形し、
該円筒状のフィルムを、前記雄爪部と雌爪部が嵌合するように、扁平状に折り畳んで引き取るフィルム成形工程と、
折り畳んだ扁平状のフィルムにおける、延出部側の折り返し部を、該フィルムの長手方向に沿って切断して開口部を形成する切断工程と、
折り畳んだ扁平状のフィルムにおける、前記雄爪部と雌爪部の延出部側に、該フィルムの長手方向に沿って切断補助線を形成する補助線形成工程と、
折り畳んだ扁平状のフィルムを、該フィルムの短手方向に沿って、該フィルムの長手方向に所定の間隔をおいて溶断する溶断工程と、
を有するチャック付袋体の製造方法。
【請求項９】
前記扁平状に折り畳んだときのフィルムの折り返し部近傍のフィルム内面に、第２のチャック部の雄爪部及び雌爪部をさらに一体成形されたフィルムを、インフレーション成形し、
折り返し部を切断して、第２のチャック部を有する開口部を形成する、請求項８に記載のチャック付袋体の製造方法。
【請求項１０】
前記切断補助線が、列状に形成された細孔からなる切断補助線である、請求項８又は９に記載のチャック付袋体の製造方法。
【発明の詳細な説明】
【技術分野】
【０００１】
本発明は、チャック付袋体及びその製造方法に関する。
【背景技術】
【０００２】
袋体の開口部の縁に沿って、雄爪部と雌爪部を有する一対の帯状のチャック部（嵌合具）を設けることで、該雄爪部と該雌爪部を嵌合して開口部の開閉を自在としたチャック付袋体（例えば、特許文献１）は、食品、医薬品、工業品等の様々な分野で広く使用されている。
例えば、搭乗の際に航空機に液体物を持ち込む場合には、搭乗手続きにおける手荷物検査において、液体物を１００ｍＬ以下の容器に入れて、さらにチャック付袋体（以下、「液体物用袋体」という。）に入れることが義務付けられている。液体物用袋体は、容量１Ｌ以下で大きさが縦２０ｃｍ×横２０ｃｍ以下のものを使用することが規定されている。
【０００３】
また、旅行の際には、旅行会社から日程、注意事項等を記載した書類が袋体（以下、「書類用袋体」という。）に収容されたものが旅行者に送られてくる。前記書類は、通常前記液体物用袋体よりも大きい。すなわち、書類用袋体は液体物用袋体よりも大きい。そのため、旅行者は書類用袋体を搭乗手続きにおいて液体物用袋体として使用することはできず、各自で液体物用袋体を用意する必要がある。
以上のことから、旅行会社のサービスの向上及び環境負荷の低減等を考慮し、書類用袋体として用いた袋体を液体物用袋体としても使用できるようなチャック付袋体が望まれている。
【先行技術文献】
【特許文献】
【０００４】
【特許文献１】特開２００９−０１８０５２号公報
【発明の概要】
【発明が解決しようとする課題】
【０００５】
本発明は、袋体の大きさを変化させることができ、例えば書類用袋体と液体物袋体等のような大きさの異なる袋体として複数の用途に使用できるチャック付袋体、及びその製造方法の提供を目的とする。
【課題を解決するための手段】
【０００６】
本発明は、前記課題を解決するために以下の構成を採用した。
［１］一方に開口部を有する袋本体に、前記袋本体の開口部側の所定の領域を切り離すのを補助する切断補助線が形成され、かつ、前記袋本体における前記切断補助線の前記開口部よりも遠い側の内面に、雄爪部及び該雄爪部に着脱可能に嵌合する雌爪部を有し、該袋本体を部分的に密封する第１のチャック部が形成されており、前記開口部と前記切断補助線の間に、該切断補助線から延出する延出部が設けられているチャック付袋体。
［２］前記袋本体の前記開口部の近傍に、該開口部を閉止する閉止手段が設けられている、前記［１］に記載のチャック付袋体。
［３］前記閉止手段として、雄爪部及び該雄爪部に着脱可能に嵌合する雌爪部を有し、前記袋本体を密封する第２のチャック部が、前記袋本体の内面に前記開口部に沿って設けられている、前記［２］に記載のチャック付袋体。
［４］前記切断補助線が弱化線である、前記［１］〜［３］のいずれかに記載のチャック付袋体。
［５］前記［１］に記載のチャック付袋体の製造方法であって、フィルム内面に一体成形された第１のチャック部の雄爪部及び雌爪部と、前記雄爪部及び雌爪部の間に、それら雄爪部と雌爪部からそれぞれ等距離に形成された、対になった切断補助線と、前記対になった切断補助線の間に形成された延出部とを有する円筒状のフィルムを、インフレーション成形し、該円筒状のフィルムを、前記雄爪部と雌爪部が嵌合し、かつ前記対になった切断補助線が重ね合わされるように、扁平状に折り畳んで引き取るフィルム成形工程と、折り畳んだ扁平状のフィルムにおける、延出部側の折り返し部を、該フィルムの長手方向に沿って切断して開口部を形成する切断工程と、折り畳んだ扁平状のフィルムを、該フィルムの短手方向に沿って、該フィルムの長手方向に所定の間隔をおいて溶断する溶断工程と、を有するチャック付袋体の製造方法。
［６］前記扁平状に折り畳んだときのフィルムの折り返し部近傍のフィルム内面に、第２のチャック部の雄爪部及び雌爪部がさらに一体成形されたフィルムを、インフレーション成形し、折り返し部を切断して、第２のチャック部を有する開口部を形成する、前記［５］に記載のチャック付袋体の製造方法。
［７］前記切断補助線が弱化線である、前記［５］又は［６］に記載のチャック付袋体の製造方法。
［８］前記［１］に記載のチャック付袋体の製造方法であって、フィルム内面に一体成形された第１のチャック部の雄爪部及び雌爪部と、前記雄爪部及び雌爪部の間に形成された延出部とを有する円筒状のフィルムを、インフレーション成形し、該円筒状のフィルムを、前記雄爪部と雌爪部が嵌合するように、扁平状に折り畳んで引き取るフィルム成形工程と、折り畳んだ扁平状のフィルムにおける、延出部側の折り返し部を、該フィルムの長手方向に沿って切断して開口部を形成する切断工程と、折り畳んだ扁平状のフィルムにおける、前記雄爪部と雌爪部の延出部側に、該フィルムの長手方向に沿って切断補助線を形成する補助線形成工程と、折り畳んだ扁平状のフィルムを、該フィルムの短手方向に沿って、該フィルムの長手方向に所定の間隔をおいて溶断する溶断工程と、を有するチャック付袋体の製造方法。
［９］前記扁平状に折り畳んだときのフィルムの折り返し部近傍のフィルム内面に、第２のチャック部の雄爪部及び雌爪部がさらに一体成形されたフィルムを、インフレーション成形し、折り返し部を切断して、第２のチャック部を有する開口部を形成する、前記［８］に記載のチャック付袋体の製造方法。
［１０］前記切断補助線が、列状に形成された細孔からなる切断補助線である、前記［８］又は［９］に記載のチャック付袋体の製造方法。
【発明の効果】
【０００７】
本発明のチャック付袋体は、袋体の大きさを変化させることができ、例えば、書類用袋体と液体物袋体等のような大きさの異なる複数の用途の袋体として使用できる。
また、本発明の製造方法によれば、袋体の大きさを変化させることができ、例えば書類用袋体と液体物袋体等のような大きさの異なる袋体として複数の用途に使用できるチャック付袋体が得られる。
【図面の簡単な説明】
【０００８】
【図１】本発明のチャック付袋体の実施形態の一例を示した斜視図である。
【図２】本発明のチャック付袋体の実施形態の一例を示した正面図である。
【図３】図２のチャック付袋体の直線Ｉ−Ｉ’における断面図である。
【図４】図１のチャック付袋体を切断補助線に沿って切断した後のチャック付袋体を示した斜視図である。
【図５】本発明のチャック付袋体の製造方法の一工程を示した断面図（Ａ）、及びその直線ＩＩ−ＩＩ’における環状ダイの断面図（Ｂ）である。
【図６】図５の直線ＩＩＩ−ＩＩＩ’における円筒状のフィルムを示した断面図である。
【図７】図５の直線ＩＶ−ＩＶ’ における扁平状のフィルムを示した断面図である。
【図８】本発明のチャック付袋体の製造方法の一工程を示した斜視図である。
【発明を実施するための形態】
【０００９】
（チャック付袋体）
以下、本発明のチャック付袋体の実施形態の一例を示して詳細に説明する。
本実施形態のチャック付袋体１は、図１及び図２に示すように、一方に開口部１１を有する袋本体１０に、袋本体１０の開口部１１側の所定の領域を切り離すのを補助する切断補助線４０が形成され、かつ、袋本体１０の切断補助線４０の開口部１１よりも遠い側の内面に、袋本体１０を部分的に密封する第１のチャック部２０（以下、「チャック部２０」という。）が形成されている。また、袋本体１０における開口部１１と切断補助線４０の間には、切断補助線４０から延出する延出部１２が形成されている。また、袋本体１０における、開口部１１の近傍には、袋本体１０を密封する第２のチャック部３０（以下、「チャック部３０」という。）が形成されている。
【００１０】
袋本体１０の形状は、本実施形態では矩形である。ただし、袋本体１０の形状は矩形には限定されない。また、袋本体１０の大きさも特に限定されず、袋本体１０に収容する内容物によって適宜選定すればよい。
袋本体１０には、開口部１１と切断補助線４０の間に延出部１２が設けられている。延出部１２は、袋本体１０の大きさを、袋本体１０における底部１３からチャック部２０までの密封領域内に収容できない大きさの内容物を収容する場合に対応させるように、切断補助線４０から延出させた部分である。
具体例としては、例えば、底部１３からチャック部２０までの密封領域が縦２０ｃｍ×横２０ｃｍである場合、さらに縦３０ｃｍ×横２０ｃｍ程度の内容物の収容にも対応できるように、切断補助線４０から１０ｃｍ程度延出させた延出部１２を設け、縦３０ｃｍ×横２０ｃｍ程度の袋本体１０としたものが挙げられる。
【００１１】
チャック部２０は、袋本体１０における開口部１１と底部１３との中間部分の内面に形成されている。
チャック部２０は、図３に示すように、袋本体１０の一方の内面１０ａに、袋本体１０の横方向に沿って突条に形成された雄爪部２１と、袋本体１０の他方の内面１０ｂの雄爪部２１に対応するように形成された雌爪部２２とを有している。
チャック部２０の雄爪部２１と雌爪部２２は、共に袋本体１０に一体成形されている。
【００１２】
雄爪部２１は、袋本体１０の内面１０ａから突き出すように形成された幹部２１ａと、断面略半円形状の頭部２１ｂを有している。また、雌爪部２２は、袋本体１０の内面１０ｂから断面円弧状に突き出すように形成されており、凹部２２ａが形成されている。
雄爪部２１と雌爪部２２は、雄爪部２１の頭部２１ｂを雌爪部２２の凹部２２ａに嵌め込むことで着脱可能に嵌合することができる。これにより、袋本体１０のチャック部２０を閉じることで、袋本体１０のチャック部２０よりも底部１３側だけを部分的に密封できるようになっている。
【００１３】
雄爪部２１と雌爪部２２の形状は、それらの形状が互いに対応しており、嵌合することで袋本体１０を密封できる形状であればよく、公知の形状はいずれも用いることができる。また、雄爪部２１と雌爪部２２に加えて、それらの嵌合をより強くするための補助部が形成されていてもよい。具体的には、内面１０ａから突き出すように、雄爪部２１と平行に突条に設けられ、雄爪部２１と雌爪部２２が嵌合したときに、雌爪部２２を雄爪部２１との間で挟み込む補助部が挙げられる。該補助部を形成しておけば、雌爪部２２の外側に当接する補助部により雌爪部２２が開くことが抑えられるため、嵌合強度が向上する。
【００１４】
袋本体１０におけるチャック部２０の縦方向の位置は、チャック部３０と底部１３の間で、切断補助線４０の開口部１１から遠い側であればよく、底部１３からチャック部２０までの密封空間に収容する内容物に応じて適宜選定すればよい。
また、チャック部２０は、本実施形態では袋本体１０の横方向に沿って形成されているが、この形態には限定されず、袋本体１０の横方向に対して傾斜して設けられていてもよい。
【００１５】
チャック部３０は、袋本体１０の開口部１１近傍の内面、すなわちチャック部２０よりも開口部１１側の袋本体１０の内面に設けられている。チャック部３０は、袋本体１０の一方の内面１０ａに、袋本体１０の横方向に沿って突条に形成された雄爪部３１と、袋本体１０の他方の内面１０ｂの雄爪部３１に対応するように形成された雌爪部３２とを有している。
チャック部３０の雄爪部３１と雌爪部３２は、共に袋本体１０に一体成形されている。
【００１６】
雄爪部３１は、袋本体１０の内面１０ａから突き出すように形成された幹部３１ａと、断面略半円形状の頭部３１ｂを有している。また、雌爪部３２は、袋本体１０の内面１０ｂから断面円弧状に突き出すように形成されており、凹部３２ａが形成されている。これにより、袋本体１０は、開口部１１近傍、すなわちチャック部２０よりも開口部１１側でも密封できるようになっている。
【００１７】
雄爪部３１と雌爪部３２の形状は、それらの形状が互いに対応しており、嵌合することで袋本体１０を密封できる形状であればよく、公知の形状はいずれも用いることができる。また、雄爪部３１と雌爪部３２に加えて、それらの嵌合をより強くするために、雌爪部２２の場合に挙げたような補助部が形成されていてもよい。
雄爪部３１及び雌爪部３２と雄爪部２１及び雌爪部２２は、同じ形状であってもよく、異なる形状であってもよい。
【００１８】
また、袋本体１０におけるチャック部３０の縦方向の位置は、開口部１０の近傍には限定されず、チャック部２０よりも開口部１１側であれば特に限定されない。
また、チャック部３０は、本実施形態では袋本体１０の横方向に沿って形成されているが、この形態には限定されず、袋本体１０の横方向に対して傾斜して設けられていてもよい。
【００１９】
切断補助線４０は、袋本体１０の開口部１１側の所定の領域を切り離すのを補助する線であり、袋本体１０におけるチャック部２０とチャック部３０の間に、袋本体１０の横方向に沿って形成されている。切断補助線４０に沿って袋本体１０を切り離すことにより、切断補助線４０から延出する延出部１２を容易に切り離すことができる。
【００２０】
切断補助線４０は、袋本体１０を切断補助線４０に沿って容易に切断できるものであればよく、ハサミ等を使用しなくても容易に切断できる点から、弱化線であることが好ましい。
前記弱化線としては、例えば、袋本体１０を形成するフィルムにおける切断補助線４０の部分をそれ以外の部分に比べて薄肉化した弱化線、ミシン目からなる弱化線、列状に形成された細孔からなる弱化線が挙げられる。
また、切断補助線４０は、前記弱化線には限定されない。例えば、ハサミやカッター等で切断する位置を示す、印刷等で形成した線であってもよい。
【００２１】
袋本体１０における切断補助線４０の縦方向の位置は、延出部１２が形成され、袋本体１０の開口部１１側の所定の領域を切り取るのを補助できる位置であればよく、チャック部２０の近傍であることが好ましい。
また、切断補助線４０は、本実施形態では袋本体１０の横方向に沿って形成されているが、この形態には限定されず、袋本体１０の横方向に対して傾斜して設けられていてもよい。
【００２２】
チャック付袋体１の袋本体１０、チャック部２０及びチャック部３０の材料は、通常のチャック付袋体で用いられる材料を用いることができ、ポリエチレン、ポリプロピレン等のポリオレフィン系樹脂、ポリエステル系樹脂等の熱可塑性樹脂が好ましい。また、それらの材料としては、２種以上の樹脂からなる樹脂組成物であってもよい。
また、必要に応じて、安定剤、酸化防止剤、滑剤、帯電防止剤、着色剤等の公知の添加剤が添加されていてもよい。
また、本実施形態のチャック付袋体１は、チャック部２０及びチャック部３０が一体化された形態であるので、袋本体１０は単層フィルムとして形成される。
【００２３】
チャック付袋体１は、前述のように切断補助線４０が形成されている。そのため、その切断補助線４０に沿って袋本体１０を切断することで、袋本体１０の切断補助線４０よりも開口部１１側の延出部１２を切り離すことができる。これにより、図４に示すように、一方に開口部１１Ａを有する袋本体１０Ａと、袋本体１０Ａの開口部１１Ａの近傍に設けられたチャック部２０とを有する、より小さいチャック付袋体１Ａとすることができる。
すなわち、チャック付袋体１は、チャック部３０を用いることで、袋本体１０とほぼ同等の大きさの内容物を収容するチャック付袋体として使用できるうえ、切断補助線４０に沿って袋本体１０を切断し、上部の延出部１２を切り取れば、より小さい内容物を収容するチャック付袋体１Ａとして使用できる。
【００２４】
具体的な使用の一例としては、例えば、旅行会社等が、旅行の日程、注意事項等を記載した書類を収容したチャック付袋体を、契約した旅行者に対して送付する場合等が挙げられる。
この場合、例えば、縦３０ｃｍ×横２０ｃｍの大きさで、かつ底部１３からチャック部２０までの距離が２０ｃｍであるチャック付袋体１（切断補助線４０から１０ｃｍ程度延出する延出部１２が形成されている。）を用いれば、該袋体には縦３０ｃｍ×横２０ｃｍ程度の袋本体１０と同程度の大きさの書類を収容できる。そして、該袋体を受け取った旅行者は、そのチャック付袋体１を切断補助線４０に沿って切断して延出部１２を切り取ることにより、縦２０ｃｍ×横２０ｃｍのチャック付袋体１Ａを得ることができる。この大きさのチャック付袋体１Ａであれば、搭乗手続きの手荷物検査における液体物を入れる袋体として使用できる。
このように、チャック付袋体１は、袋本体１０にチャック部２０及びチャック部３０を有し、かつ延出部１２を切り取るのを補助する切断補助線４０が設けられていることにより、大きさを小さく変更したチャック付袋体１Ａとして別の用途にも使用できる。
【００２５】
以上説明した本発明のチャック付袋体は、袋体の大きさを小さく変化させることができるため、前記書類用袋体と液体物袋体等のように大きさの異なる袋体として複数の用途に使用できる。
【００２６】
尚、本発明のチャック付袋体は、前述したチャック付袋体１には限定されない。
例えば、本発明のチャック付袋体は、第２のチャック部が形成されていなくてもよい。すなわち、開口部を密封できるようになっていない袋体であってもよい。
また、前述のチャック付袋体１では、第２のチャック部により開口部を密封できるようになっていたが、チャック部以外の方法で開口部を閉止できるようになっていてもよい。開口部を閉止する閉止手段としては、袋本体の開口部から延びるフラップを形成し、該フラップを開口部側に折り返して開口部を塞ぎ、弱粘着タイプの粘着材で粘着する手段、同様のフラップを粘着材付きステッカーで粘着する手段、前記フラップと袋本体にそれぞれ係止部を設け、それら係止部を紐で結ぶことで開口部を閉止する手段等が挙げられる。
ただし、開口部を閉止する閉止手段を設ける場合は、粘着力が弱くなったり、粘着材が付着して内容物が汚損したりすること等がなく、再閉止可能で、かつ、安定した閉止力が得られる点から、チャック部を形成することが好ましい。
【００２７】
また、チャック付袋体の袋本体とチャック部は、チャック付袋体１のように一体成形されていなくてもよく、帯状に形成された一対の基材の内側に、該基材の長手方向に沿ってそれぞれ雄爪部と雌爪部が形成されたチャック部材を、袋本体の内面にヒートシールして取り付けたものであってもよい。また、この場合には、袋本体は単層フィルムからなっていても、多層フィルムからなっていてもよい。
【００２８】
また、本発明のチャック付袋体におけるチャック部及び切断補助線の数はチャック付袋体１における数には限定されない。例えば、袋本体の開口部側に向かって順に第１、第２、第３のチャック部を有し、第１のチャック部と第２のチャック部の間に第１の切断補助線が形成され、第２のチャック部と第３のチャック部の間に第２の切断補助線が形成された袋体であってもよい。このチャック付袋体であれば、袋体の大きさを２段階変化させることができる。
【００２９】
（製造方法）
本発明のチャック付袋体の製造方法としては、例えば、環状ダイを用いたインフレーション成形で、チャック部を一体成形する方法（α）が挙げられる。方法（α）では、チャック部の雄爪部及び雌爪部を形成する、雄型及び雌型の切り込みを有する環状ダイを用いる。
また、方法（α）は、切断補助線を形成する方法の種類によって、下記方法（α１）又は（α２）が挙げられる。
（α１）環状ダイによるインフレーション成形において、チャック部と共に切断補助線を形成する方法。
（α２）環状ダイによるインフレーション成形の後、得られたフィルムに対して切断補助線を形成する方法。
【００３０】
以下、本発明のチャック付袋体の製造方法の実施形態の一例として、前述のチャック付袋体１を製造する方法を示して詳細に説明する。
方法（α１）は、下記の工程を有する。
フィルム成形工程：図６に示すように、フィルム内面に一体成形されたチャック部２０の雄爪部２１及び雌爪部２２と、雄爪部２１及び雌爪部２２の間に、それら雄爪部２１と雌爪部２２からそれぞれ等距離に形成された、対になった切断補助線４０ａ、４０ｂと、前記対になった切断補助線４０ａ、４０ｂの間に形成された延出部１２ａと、雄爪部２１と雌爪部２２の中央近傍のフィルム内面に一体形成されたチャック部３０の雄爪部３１及び雌爪部３２と、を有する円筒状のフィルム１ａを、図５（Ａ）に示すように、インフレーション成形する。そして、図５（Ａ）及び図７に示すように、円筒状のフィルム１ａを、雄爪部２１及び雌爪部２２と雄爪部３１及び雌爪部３２が嵌合し、かつ対になった切断補助線４０ａ、４０ｂが重ね合わされるように、扁平状に折り畳んで引き取る。
切断工程：折り畳んだ扁平状のフィルム１ａにおける、延出部１２ａ側の折り返し部１４を、フィルム１ａの長手方向に沿って切断して開口部を形成する。
溶断工程：折り畳んだ扁平状のフィルム１ａを、該フィルム１ａの短手方向に沿って、該フィルム１ａの長手方向に所定の間隔をおいて溶断する。
【００３１】
フィルム成形工程：
インフレーション成形に用いる環状ダイ５０は、図５（Ｂ）に示すように、雄爪部２１及び雌爪部２２をフィルム内面に一体成形する、雄型及び雌型の切り込みを設けた雄爪部形成部５１及び雌爪部形成部５２を有する。また、雄爪部形成部５１及び雌爪部形成部５２の間に、雄爪部２１と雌爪部２２からそれぞれ等距離に形成される、対になった切断補助線４０ａ、４０ｂを形成する切断補助線形成部５３、５４を有する。また、切断補助線４０ａ、４０ｂの間に形成される延出部１２ａを形成する延出部形成部５５を有する。さらに、フィルム内面に雄爪部３１及び雌爪部３２を一体成形する、雄型及び雌型の切り込みを設けた雄爪部形成部５６及び雌爪部形成部５７を有する。
【００３２】
樹脂混合物を押出機に供給し、図５（Ａ）に示すように、環状ダイ５０によって、袋本体１０となる、チャック部２０、３０が一体成形された円筒状のフィルム１ａを押し出す。そして、環状ダイ５０から出た円筒状のフィルム１ａを空冷法又は水冷法によって冷却し、インフレーション法で拡幅製膜する。環状ダイ５０の切断補助線形成部５３、５４は、樹脂が流出する隙間を小さくしている。そのため、切断補助線４０ａ、４０ｂは、その部分がその他の部分よりも薄肉化された弱化線として形成される。
【００３３】
そして、このフィルム１ａを、図５（Ａ）に示すように、先細りとなるよう設けられた一対の安定板６１、６２によって案内しつつ扁平状に折り畳み、一対のピンチロール６３、６４にて引き取り、同時に、図７に示すように、雄爪部２１及び雌爪部２２と雄爪部３１及び雌爪部３２をそれぞれ嵌合させる。このとき、雄爪部２１及び雌爪部２２からそれぞれ等距離に位置する切断補助線４０ａ、４０ｂも重なり合う。
【００３４】
切断工程：
偏平状に折り畳んだフィルム１ａの延出部１２ａ側の折り返し部１４を、図７に示すように切断線Ｘに沿って、すなわちフィルム１ａの長手方向に沿って切断することで、開口部を形成する。
【００３５】
溶断工程：
溶断シール機能を有する製袋機を用いて、折り畳んだ扁平状のフィルム１ａを、図８に示すように切断線Ｙに沿って、すなわち、該フィルム１ａの短手方向に沿って、該フィルム１ａの長手方向に所定の間隔をおいて溶断することにより、チャック付袋体１を連続して製造する。溶断後、切断補助線４０ａと切断補助線４０ｂとで、切断補助線４０が形成される。
【００３６】
尚、方法（α１）では、フィルム成形工程において偏平状に折り畳んだフィルム１ａを、ロール状に巻き取って一旦保管した後、必要となったときに巻き出して製袋してもよく、ロール状に巻き取らずに、そのまま切断工程、溶断工程を行って袋体としてもよい。
また、フィルム１ａは、延伸フィルムであってもよく、未延伸フィルムであってもよい。また、フィルム成形工程と切断工程の間、切断工程と溶断工程の間、又は溶断工程の後に、フィルム１ａに模様、説明文、広告等を印刷する工程を設けてもよい。
また、切断工程と溶断工程の順序は特に限定されず、溶断工程の後に、切断工程を行ってもよい。
【００３７】
方法（α２）は、フィルム成形工程において切断補助線を形成せず、フィルム成形工程の後に、切断補助線を形成する切断補助線形成工程を設ける以外は、方法（α１）と同じである。
方法（α２）は、下記工程を有する。
フィルム成形工程：切断補助線形成部５３、５４を有さない以外は、前述の環状ダイ５０と同じ環状ダイを用い、方法（α１）と同様にして、フィルム内面に一体成形されたチャック部２０の雄爪部２１及び雌爪部２２と、雄爪部２１及び雌爪部２２の間に形成された延出部１２ａと、雄爪部２１と雌爪部２２の中央近傍のフィルム内面に一体成形されたチャック部３０の雄爪部３１及び雌爪部３２と、を有する円筒状のフィルムを、インフレーション成形する。そして、方法（α１）と同様に、得られた円筒状のフィルムを、雄爪部２１及び雌爪部２２と雄爪部３１及び雌爪部３２がそれぞれ嵌合するように、扁平状に折り畳んで引き取る。
切断工程：方法（α１）と同様に、折り畳んだ扁平状のフィルムにおける、延出部１２ａ側の折り返し部１４を、該フィルムの長手方向に沿って切断して開口部を形成する。
補助線形成工程：折り畳んだ扁平状のフィルムにおける、雄爪部２１と雌爪部２２の延出部側に、該フィルムの長手方向に沿って切断補助線を形成する。
溶断工程：方法（α１）と同様に、折り畳んだ扁平状のフィルムを、該フィルムの短手方向に沿って、該フィルムの長手方向に所定の間隔をおいて溶断する。
【００３８】
切断補助線形成工程における切断補助線の形成方法は、例えば、フィルムに刃を当てる方法、レーザーを用いる方法等が挙げられる。該方法により、列状に形成された細孔からなる弱化線、又はミシン目からなる弱化線を形成できる。また、印刷により線を描いて切断補助線とする方法であってもよい。
【００３９】
尚、方法（α２）では、方法（α１）と同様に、フィルム成形工程において偏平状に折り畳んだフィルムを、ロール状に巻き取って一旦保管した後、必要となったときに巻き出して製袋してもよく、ロール状に巻き取らずに、そのまま切断工程、切断補助線形成工程、溶断工程を行って袋体としてもよい。フィルムは、延伸フィルムであってもよく、未延伸フィルムであってもよい。また、方法（α１）と同様に、フィルム成形工程の後に、切断工程、切断補助線形成工程、溶断工程のいずれかの工程の間、または最後の工程として、フィルムに模様、説明文、広告等を印刷する工程を設けてもよい。
また、切断工程、切断補助線形成工程及び溶断工程の順序は特に限定されず、例えば、切断補助線形成工程、切断工程、溶断工程の順に行ってもよく、切断補助線形成工程、溶断工程、切断工程の順に行ってもよい。
【００４０】
本発明のチャック付袋体の製造方法は、前述の方法には限定されない。例えば、チャック部３０を有さない袋体であれば、雄爪部形成部５６及び雌爪部形成部５７を有さない環状ダイを用いればよい。また、環状ダイは、形成するチャック部及び切断補助線の数に合った数の雄爪部形成部、雌爪部形成部、及び必要に応じて切断補助線形成部を有する環状ダイを用いればよい。
また、インフレーション成形によりチャック部を一体成形せずに、袋本体を形成した後に、帯状のチャック部をヒートシールにより取り付ける方法であってもよい。
【符号の説明】
【００４１】
１、１Ａ  チャック付袋体  １０  袋本体  １０ａ、１０ｂ  袋本体の内面  １１  開口部  １２  延出部  ２０、３０  チャック部  ２１、３１  雄爪部  ２２、３２  雌爪部  ４０  切断補助線
【図１】
2011020704.tif 000003
【図２】
2011020704.tif 000004
【図３】
2011020704.tif 000005
【図４】
2011020704.tif 000006
【図５】
2011020704.tif 000007
【図６】
2011020704.tif 000008
【図７】
2011020704.tif 000009
【図８】
2011020704.tif 000010